(57)【特許請求の範囲】
【請求項１】
左右両側部にハンドル装着部を有しロータを回転させるためのハンドルが装着されていない側の前記ハンドル装着部にキャップ部材が取り付けられるスピニングリールのスタンド部材であって、
棒状に形成された本体部材と、
前記本体部材の一端に設けられ、前記ハンドル装着部に前記キャップ部材に代えて装着可能な装着部と、
前記本体部材の他端に設けられ、スピニングリールが釣竿に装着された状態において、前記ロータの回転軌跡が地面から離反するように前記釣竿とともに接地可能な接地部と、
を備えたスピニングリールのスタンド部材。
【請求項２】
前記キャップ部材及び前記装着部は前記ハンドル装着部にねじ止めされる、請求項１に記載のスピニングリールのスタンド部材。
【請求項３】
前記本体部材はアルミニウム合金製である、請求項１又は２に記載のスピニングリールのスタンド部材。
【請求項４】
前記接地部は前記本体部材と別体で設けられている、請求項１から３のいずれかに記載のスピニングリールのスタンド部材。
【請求項５】
前記接地部はステンレス合金製である、請求項４に記載のスピニングリールのスタンド部材。
【発明の詳細な説明】
【０００１】
【発明の属する技術分野】
本発明は、スタンド部材、特に、スピニングリールに設けられるスタンド部材に関する。
【０００２】
【従来の技術】
一般に、仕掛けとして生き餌を針にかけて釣りを行う、いわゆる泳がせ釣りをスピニングリールで行うことがある。この場合、泳がせ釣りでは、仕掛けを投擲したままハンドルやロータが地面に当たらないように釣竿を竿受け等に置いて生き餌をしばらく泳がせておき、釣人は当たりを待つことになる。この場合、特に、波止場や堤防から泳がせ釣りを行うときは、竿受けを取り付けることが難しい。また、竿受けを取り付けたとしても、ポイントを変更するため頻繁に移動するときに竿受けを持って移動するのは手間が掛かる。また、当たりがあったときは直ちに巻き上げ操作を行う必要があるため、竿受けに取り付けると俊敏な巻き上げ操作を行いにくい。
【０００３】
そこで、実開平４−９１６７５号公報に開示されているように、金属棒を屈曲させて台形状のスタンド部材をリール本体に形成された係合部に取り付けたものが既に知られている。このリールでは、リール本体にスタンド部材が取り付けられているので、竿受けへの取り付けが不要になり、簡単に持ち運ぶことができるとともに、当たりがあったときに直ちに巻き上げ操作を行うことができる。
【０００４】
【発明が解決しようとする課題】
前記公報に開示されたリールでは、台形状のスタンド部材がリール本体に形成された係合部に取り付けられているので、当たりがあったときに直ちに巻き上げ操作を行うことができる。しかし、このようなスタンド部材は、金属棒を屈曲させて台形状に形成されているので、スタンド部材の加工に手間が掛かり、構成が複雑になるおそれがある。
【０００５】
また、リール本体にはスタンド部材取り付け用の専用の係合部を形成しなければならないので、従来のリールにスタンド部材を取り付けることが困難である。本発明の課題は、スピニングリールに設けられるスタンド部材において、簡素な構成で従来のリールに取り付けられるようにすることにある。
【０００６】
【課題を解決するための手段】
発明１に係るスピニングリールのスタンド部材は、左右両側部にハンドル装着部を有しロータを回転させるためのハンドルが装着されていない側のハンドル装着部にキャップ部材が取り付けられるスピニングリールのスタンド部材であって、棒状に形成された本体部材と、本体部材の一端に設けられハンドル装着部にキャップ部材に代えて装着可能な装着部と、本体部材の他端に設けられスピニングリールが釣竿に装着された状態においてロータの回転軌跡が地面から離反するように釣竿とともに接地可能な接地部とを備えている。
【０００７】
このスタンド部材では、泳がせ釣りを行う場合、ハンドル装着部にキャップ部材の代わりに装着部を装着し、ロータの回転軌跡が地面から離反するように釣竿とともに接地部を接地させることにより、リールを立てることができる。ここでは、本体部材は棒状に形成されているので、スタンド部材の加工が容易になり、スタンド部材の構成が簡素になる。また、ハンドル装着部に着脱自在に取り付け可能な装着部を形成することにより、従来のリールにスタンド部材を取り付けることができる。
【０００８】
発明２に係るスタンド部材は、発明１に記載のスタンド部材において、キャップ部材及び装着部はハンドル装着部にねじ止めされている。この場合、キャップ部材及び装着部又はハンドル装着部に雄ねじ又は雌ねじを形成することにより、スタンド部材を確実かつ容易に装着できる。
発明３に係るスタンド部材は、発明１又は２に記載のスタンド部材おいて、本体部材はアルミニウム合金製である。この場合、本体部材をアルミニウム合金により形成することにより、本体部材の加工が容易になる。
【０００９】
発明４に係るスタンド部材は、発明１から３のいずれかに記載のスタンド部材において、接地部は本体部材と別体で設けられている。この場合、たとえば、接地部と本体部材とを異なる材質の部材で形成できる。
発明５に係るスタンド部材は、発明４スタンド部材において、接地部はステンレス合金製である。この場合、接地部をステンレス合金により形成することにより、地面に接する接地部の強度を高く維持できる。
【００１０】
【発明の実施の形態】
本発明の一実施形態によるスピニングリールは、図１及び図２に示すように、釣竿Ｒの長手方向に沿う軸回りに釣り糸を巻き取るリールであって、ハンドル１を備えたリール本体２と、リール本体２の前部に回転自在に支持されたロータ３と、ロータ３の前部に配置された釣り糸を巻き取るスプール４とを備えている。
【００１１】
リール本体２は、図１及び図２に示すように、たとえば合成樹脂製であり、釣竿Ｒに装着される前後に長い取付部２ｃと、取付部２ｃと間隔を隔てて配置され内部に機構収納空間を有するリールボディ２ａと、取付部２ｃとリールボディ２ａとを連結する脚部２ｂとを有している。リールボディ２ａの両側部には、図１及び図３に示すように、ハンドル１が着脱可能に装着されるハンドル装着部２ｄが突出して形成されている。ハンドル１が装着されていない側のハンドル装着部２ｄには、図３に示すスタンド部材７０又は図５に示すキャップ部材８０が装着可能である。
【００１２】
スタンド部材７０は、図３及び図４に示すように、棒状に形成された本体部材７１と、本体部材７１の一端に設けられた装着部７２と、本体部材７１の他端に設けられた接地部７３とを有している。
本体部材７１は、図４に示すように、アルミニウム合金製の筒状部材である。装着部７２は、キャップ部材８０が装着可能なハンドル装着部２ｄに着脱自在に装着される。装着部７２には、図４に示すように、ハンドル装着部２ｄの図示しない雌ねじに螺合する雄ねじ７２ａが形成されている。
【００１３】
接地部７３は、図３に示すように、リールが釣竿Ｒに装着された状態において、ロータ３の回転軌跡が地面Ｇから離反するように釣竿Ｒとともに接地可能である。接地部７３は、本体部材７１と別体で設けられたステンレス合金製の部材である。
キャップ部材８０は、図５及び図６に示すように、ハンドル１が装着されていない側のハンドル装着部２ｄに装着される。キャップ部材８０には、図６に示すように、ハンドル装着部２ｄの図示しない雌ねじに螺合する雄ねじ８０ａが形成されている。
【００１４】
リールボディ２ａの内部には、図２に示すように、ロータ３を回転させるためのロータ駆動機構５と、ロータ３の糸繰り出し方向の回転を制動するためのレバーブレーキ機構６と、スプール軸８を介してスプール４を前後に往復移動させるオシレーティング機構２０とが設けられている。
ロータ３は、図２に示すように、たとえば合成樹脂製又は金属製であり、リール本体２に回転自在に支持されている。ロータ３は、円筒部３ａと、円筒部３ａの側方に互いに対向して設けられた第１アーム部３ｂ及び第２アーム部３ｃとを有している。第１アーム部３ｂの先端と第２アーム部３ｃの先端部とには、揺動自在にベールアーム９が設けられている。このベールアーム９により釣り糸がスプール４に案内される。
【００１５】
スプール４は、図２に示すように、ロータ３の第１アーム部３ｂと第２アーム部３ｃとの間に配置されており、スプール軸８の先端に着脱自在かつ回転不能に装着されている。スプール４は、外周に釣り糸が巻かれる金属薄板により形成された筒状の糸巻胴部４ａと、糸巻胴部４ａの後端部に金属薄板により一体成形された筒状のスカート部４ｂと、糸巻胴部４ａの内周側に取り付けられた合成樹脂製の内筒部材４ｃとを有している。
【００１６】
ロータ駆動機構５は、図２に示すように、ハンドル１が固定されたハンドル軸１０とともに回転するマスターギア１１と、このマスターギア１１に噛み合うピニオンギア１２とを有している。ハンドル軸１０は、リール本体２に回転自在に支持されている。ピニオンギア１２は筒状に形成されており、ピニオンギア１２の前部はロータ３を貫通してスプール４側に延びている。
【００１７】
レバーブレーキ機構６は、制動部１６と、制動部１６の制動力を調整操作するための制動レバー１７と、制動部１６を所定制動状態に操作するための補助レバー１８と、制動レバー１７を取付部２ｃから離反する方向に付勢するコイルばね１９とを有している。
このスタンド部材７０では、泳がせ釣りを行う場合、ハンドル装着部２ｄにキャップ部材８０の代わりに装着部７２を装着し、ロータ３の回転軌跡が地面Ｇから離反するように釣竿Ｒとともに接地部７３を接地させることにより、リールを立てることができる。ここでは、本体部材７１が棒状に形成されているので、スタンド部材７０の加工が容易になり、スタンド部材７０の構成が簡素になる。また、ハンドル装着部２ｄに着脱自在に取り付け可能な装着部２を形成することにより、従来のリールにスタンド部材７０を取り付けることができる。
【００１８】
〔他の実施形態〕
（ａ）  前記実施形態では、レバーブレーキ型のスピニングリールを例にあげて説明したが、これに限定されるものではなく、他のあらゆるスピニングリールにも本発明を適用できる。
（ｂ）  前記実施形態では、スタンド部材７０は、キャップ部材８０が取り付けられるハンドル装着部２ｄに装着されていたが、これに限定されるものではなく、他の蓋部材等のハンドル装着部に装着してもよい。
【００１９】
（ｃ）  前記実施形態では、アルミニウム合金製の本体部材７１と、ステンレス合金製の接地部７３とを別体で設けていたが、図７に示すように、本体部材７１と接地部７３とを一体成形してもよい。また、本体部材７１及び接地部７３の材質はこれらに限定されない。
【００２０】
【発明の効果】
本発明に係るスピニングリールに設けられるスタンド部材は、棒状に形成された本体部材と、ハンドル装着部を閉塞するキャップ部材に代えて装着可能な装着部と、スピニングリールが釣竿に装着された状態においてロータの回転軌跡が地面から離反するように釣竿とともに接地可能な接地部とを備えているので、簡素な構成で従来のリールに取り付けられるようにすることができる。
【図面の簡単な説明】
【図１】本発明の一実施形態によるスピニングリールの側面図。
【図２】前記スピニングリールの側面断面図。
【図３】スタンド部材を装着した前記スピニングリールの背面図。
【図４】前記スタンド部材の断面図。
【図５】キャップ部材を装着した前記スピニングリールの背面図。
【図６】前記キャップ部材の断面図。
【図７】他の実施形態の図４に相当する図。
【符号の説明】
１  ハンドル
２  リール本体
２ｄ  ハンドル装着部
３  ロータ
４  スプール
７０  スタンド部材
７１  本体部材
７２  装着部
７３  接地部
８０  キャップ部材
Ｇ  地面
Ｒ  釣竿
【図１】
0003684359.tif 000002
【図２】
0003684359.tif 000003
【図３】
0003684359.tif 000004
【図４】
0003684359.tif 000005
【図５】
0003684359.tif 000006
【図６】
0003684359.tif 000007
【図７】
0003684359.tif 000008